(57)【要約】【課題】映像再生時に容易に飛ばし見される可能性の高いＣＭ映像等のサーチ再生中（早送り再生等）でも、通常の映像（ＣＭ等）再生時とは異なった、サーチ再生にも対応した映像再生を可能にする情報再生装置等を提供する。【解決手段】早送りや巻き戻しなどによるサーチ等でも、映像に付加されているＩＤ情報から得られるテキストや映像・画像、リンク先の情報、または再生映像／サーチ再生映像そのものなどを、サーチ再生映像の代わりまたはサーチ再生映像に重ねて表示する装置、方法、システム等を有する。さらに必要に応じて、任意の設定時間だけ各種情報を継続表示する機能を備える。これらより、サーチ再生中などでも、視聴者の視聴状態に合わせた、映像情報の提供を可能にする。【選択図】　　　図２
2004112184.tif 000002
【特許請求の範囲】
【請求項１】
映像情報を含む情報の再生を行う情報再生装置において、
再生された前記映像情報に含まれる所定の情報を取得する情報取得手段と、
特定の動作時に、前記所定の情報に基づいた取得情報を再生する再生制御手段とを備えたことを特徴とする情報再生装置。
【請求項２】
前記所定の情報は、映像ブランキング部または映像内に含まれるＩＤ情報であり、前記特定の動作は、通常の再生動作とは異なる早送り／巻き戻し再生を含むサーチ再生動作であることを特徴とする請求項１記載の情報再生装置。
【請求項３】
前記再生制御手段は、前記サーチ再生動作をトリガーとして、前記取得済みのＩＤ情報を表示情報に変換する手段と、該表示情報を前記取得情報として表示部に表示する手段とを有することを特徴とする請求項２記載の情報再生装置。
【請求項４】
前記所定の情報の中に含まれるリンク先情報を検出し、該リンク先情報に基づいてリンク先から情報を取得する手段を備え、
前記再生制御手段は、前記サーチ再生動作をトリガーとして、前記リンク先から取得した取得情報を表示部に表示する手段を有することを特徴とする請求項２記載の情報再生装置。
【請求項５】
前記取得情報は、前記サーチ再生動作時の再生映像であるサーチ再生映像の代わりに表示、または前記表示部の任意の表示領域で該サーチ再生映像に重ねて表示することを特徴とする請求項３または４に記載の情報再生装置。
【請求項６】
前記再生制御手段は、前記サーチ再生動作をトリガーとして、前記取得済みのＩＤ情報を前記サーチ再生動作時の再生映像に付加して出力する手段と、該ＩＤ情報を含む取得情報が付加された再生映像を表示部に表示する手段とを備えたことを特徴とする請求項２記載の情報再生装置。
【請求項７】
前記再生制御手段は、前記サーチ再生動作をトリガーとして、前記取得情報中の音情報を再生する手段を有することを特徴とする請求項２乃至６に記載の情報再生装置。
【請求項８】
計時手段と、任意の時間を設定する時間設定手段とを有し、前記再生制御手段は、前記サーチ再生動作をトリガーとして、前記時間設定手段で設定された任意の設定時間だけ前記取得情報を再生することを特徴とする請求項２乃至７に記載の情報再生装置。
【請求項９】
映像情報を含む情報の再生を行う情報再生装置において、
再生された前記映像情報中の任意の映像もしくは該映像情報の一部を取得する映像取得手段と、
特定の動作時に、前記映像取得手段で取得した映像情報を含む取得情報を再生する再生制御手段とを備えたことを特徴とする情報再生装置。
【請求項１０】
前記特定の動作は、通常の再生動作とは異なる早送り／巻き戻し再生を含むサーチ再生動作であることを特徴とする請求項９記載の情報再生装置。
【請求項１１】
前記映像取得手段は、前記サーチ再生動作の開始前後に前記映像情報を取得し、
前記再生制御手段は、前記サーチ再生動作をトリガーとして、前記取得した映像情報を表示部に表示する手段を有することを特徴とする請求項１０記載の情報再生装置。
【請求項１２】
前記映像取得手段で取得した映像情報は、前記サーチ再生動作時の再生映像であるサーチ再生映像の代わりに表示、または前記表示部の任意の表示領域で該サーチ再生映像に重ねて表示することを特徴とする請求項１１に記載の情報再生装置。
【請求項１３】
前記再生制御手段は、前記サーチ再生動作をトリガーとして、前記取得情報中の音情報を再生する手段を有することを特徴とする請求項１０乃至１２に記載の情報再生装置。
【請求項１４】
計時手段と、任意の時間を設定する時間設定手段とを有し、
前記再生制御手段は、前記サーチ再生動作をトリガーとして、前記時間設定手段で設定された任意の設定時間だけ前記取得情報を再生することを特徴とする請求項１０乃至１３に記載の情報再生装置。
【請求項１５】
映像情報を含む情報の再生を行う情報再生方法において、
再生された前記映像情報に含まれる所定の情報を取得する情報取得行程と、
特定の動作時に、前記所定の情報に基づいた取得情報を再生する再生制御行程とを備えたことを特徴とする情報再生方法。
【請求項１６】
映像情報を含む情報の再生を行う情報再生方法において、再生された前記映像情報中の任意の映像もしくは該映像情報の一部を取得する映像取得行程と、
特定の動作時に、前記映像取得行程で取得した映像情報を含む取得情報を再生する再生制御行程とを備えたことを特徴とする情報再生方法。
【請求項１７】
映像情報を含む情報の再生を行う情報再生方法を実行するために、コンピュータで解読可能な制御プログラムであって、
再生された前記映像情報に含まれる所定の情報を取得する情報取得ステップと、
特定の動作時に、前記所定の情報に基づいた取得情報を再生する再生制御ステップとを備えたことを特徴とする制御プログラム。
【請求項１８】
映像情報を含む情報の再生を行う情報再生方法を実行するために、コンピュータで解読可能な制御プログラムであって、
再生された前記映像情報中の任意の映像もしくは該映像情報の一部を取得する映像取得ステップと、
特定の動作時に、前記映像取得ステップで取得した映像情報を含む取得情報を再生する再生制御ステップとを備えたことを特徴とする制御プログラム。
【発明の詳細な説明】
【０００１】
【発明の属する技術分野】
本発明は、映像情報などの情報を再生する情報再生装置等に関する。
【０００２】
【従来の技術】
ＴＶ（Ｔｅｌｅｖｉｓｉｏｎ）放送やＶＴＲ（Ｖｉｄｅｏ　Ｔａｐｅ　Ｒｅｃｏｒｄｅｒ）、ＤＶＤ（Ｄｉｇｉｔａｌ　Ｖｅｒｓａｔｉｌｅ　Ｄｉｓｋ／Ｄｉｇｉｔａｌ　Ｖｉｄｅｏ　Ｄｉｓｋ）プレーヤなどで再生される映像では、通常の家庭用ＴＶの表示画面で見えている映像範囲だけでなく、業務用モニタなどでアンダースキャンした時に確認できる映像情報のブランキング部や有効映像ラインの先頭部分に、通常の映像情報とは異なった情報が含まれていることがある。
【０００３】
この情報とは、例えば、ＶＢＩ（Ｖｅｒｔｉｃａｌ　Ｂｌａｎｋｉｎｇ　Ｉｎｔｅｒｖａｌ）ＩＤ情報やＷＳＳ（Ｗｉｄｅ　Ｓｃｒｅｅｎ　Ｓｉｇｎａｌｌｉｎｇ）などのＩＤ情報であり、コピー制限や、表示画面の縦横比に従った表示制御、字幕スーパーを表示するクローズドキャプション（Ｃｌｏｓｅｄ　Ｃａｐｔｉｏｎ）などに利用され、これらに対応した映像機器では該情報に基づいて表示、記録／再生制御が行われている。
【０００４】
一方、上記のような技術が使われる中、多くのテレビ放送、例えば地上波における民間放送においては、民放各社が番組提供のために番組スポンサーを募り、そのスポンサー料／広告料により放送業務を運営し、一般視聴者に対して無料で映像情報（放送）の提供を行っている。そのために、提供番組の冒頭や途中、最後などにコマーシャル（以下、ＣＭ）を挿入することが一般的である。
【０００５】
これに対して視聴者は、家庭用の据え置き型ＶＴＲなどを用いて、テレビ番組などの任意の映像を記録（予約録画や裏番組録画など）し、視聴者の都合の良い時間に再生し、視聴していることも多い。さらに、視聴者によっては、無料放送とはいえ番組の途中でＣＭが挿入されて番組内容が中断されることを嫌い、タイムシフト視聴するだけでなく、再生映像を早送り再生（サーチ再生）してＣＭをスキップ（飛ばし見）することもある。
【０００６】
さらに近年、家庭用に採用されだした映像情報の記録メディアとしては、ランダムアクセス可能な記憶媒体、例えばハードディスクドライブ（ＨＤＤ）や、ＤＶＤメディアなどの光ディスクに記録するものもあり、これらの機器では、テープよりも速いサーチ再生ができる特徴を持ち、従来のテープ媒体の使用時以上に、容易にＣＭをスキップして視聴することも可能となってきている（例えば、特許文献１参照）。
【０００７】
【特許文献１】
特開２００１−３３３４０６号公報
【０００８】
【発明が解決しようとする課題】
こうした背景の下、番組を提供する側から見た場合、視聴者の都合によりＣＭ部分の映像をサーチ再生してＣＭをスキップされると、番組提供側が意図したＣＭの内容が十分に視聴者に伝わらないことがあるばかりか、番組放送の時間枠中で確立された「番組＋スポンサーＣＭ」の概念が成立しなくなることが予想される。
【０００９】
このような視聴者や視聴される条件に対応して、ＣＭの新たな伝達形態を制御することができれば、視聴者の利便性を著しく阻害することなく、新たな形でＣＭを視聴者に見てもらうことが可能となり、スポンサーを伴う商用ビジネスとしての番組提供を継続していくことも可能となる。端的には、予約録画等で記録された番組のうち、ＣＭ部分だけを単純にサーチ再生により飛ばし見されることを防止できれば、今後も継続してスポンサーを獲得できる可能性が開けることから、サーチ再生にも対応した映像（ＣＭ）再生を可能にする手段の実現が望まれていた。
【００１０】
本発明は上記従来の問題点に鑑み、映像再生時に容易に飛ばし見される可能性の高いＣＭ映像等のサーチ再生中でも、通常の映像（ＣＭ等）再生時とは異なった、サーチ再生にも対応した映像再生を可能にする情報再生装置等を提供することを目的とする。
【００１１】
【課題を解決するための手段】
上記目的を達成するために、本発明の情報再生装置では、映像情報を含む情報の再生を行う情報再生装置において、再生された前記映像情報に含まれる所定の情報を取得する情報取得手段と、特定の動作時に、前記所定の情報に基づいた取得情報を再生する再生制御手段とを備えたことを特徴とする。
【００１２】
本発明の情報再生装置では、映像情報を含む情報の再生を行う情報再生装置において、再生された前記映像情報中の任意の映像もしくは該映像情報の一部を取得する映像取得手段と、特定の動作時に、前記映像取得手段で取得した映像情報を含む取得情報を再生する再生制御手段とを備えたことを特徴とする。
【００１３】
本発明の情報再生方法では、映像情報を含む情報の再生を行う情報再生方法において、再生された前記映像情報に含まれる所定の情報を取得する情報取得行程と、特定の動作時に、前記所定の情報に基づいた取得情報を再生する再生制御行程とを備えたことを特徴とする。
【００１４】
本発明の情報再生方法では、映像情報を含む情報の再生を行う情報再生方法において、再生された前記映像情報中の任意の映像もしくは該映像情報の一部を取得する映像取得行程と、特定の動作時に、前記映像取得行程で取得した映像情報を含む取得情報を再生する再生制御行程とを備えたことを特徴とする。
【００１５】
本発明の制御プログラムでは、映像情報を含む情報の再生を行う情報再生方法を実行するために、コンピュータで解読可能な制御プログラムであって、再生された前記映像情報に含まれる所定の情報を取得する情報取得ステップと、特定の動作時に、前記所定の情報に基づいた取得情報を再生する再生制御ステップとを備えたことを特徴とする。
【００１６】
本発明の制御プログラムでは、映像情報を含む情報の再生を行う情報再生方法を実行するために、コンピュータで解読可能な制御プログラムであって、再生された前記映像情報中の任意の映像もしくは該映像情報の一部を取得する映像取得ステップと、特定の動作時に、前記映像取得ステップで取得した映像情報を含む取得情報を再生する再生制御ステップとを備えたことを特徴とする。
【００１７】
【発明の実施の形態】
以下、本発明の実施の形態を図面に基づいて説明する。
【００１８】
［第一実施形態］
＜情報再生装置の構成＞
図１は、本発明の第一実施形態に係る情報再生装置の概略構成を示すブロック図である。
【００１９】
この情報再生装置は、映像記録媒体に磁気テープを用いた据え置き型のＶＴＲ（Ｖｉｄｅｏ　Ｔａｐｅ　Ｒｅｃｏｒｄｅｒ）で構成されているものとする。
【００２０】
同図において、１０１は映像情報入力部で、ＴＶ放送を受信するアンテナからの信号や、ケーブルテレビ網のケーブルアダプタからの信号（または、アダプタそのものを映像情報入力部１０１に含むことも想定可能）、外部映像機器からのアナログ映像信号を接続するインタフェース等を備え、各種ＴＶ番組や外部映像機器からの映像を取得して本機内部で扱える信号に変換する部分である。また、近年のケーブルテレビなどにおいては、映像情報だけでなく、データ通信も入出力多重化が可能であり、インターネットへの接続ｉ／ｆ手段も兼ねている場合もある。
【００２１】
１０２は、本発明の各制御手順を実行するための制御部である。後述する、図２のフローチャートで示すような各種制御手順を実行する。１０３は汎用記憶部で、本発明の各種制御手段を実現するためのプログラム及びデータ等を納め、制御実行のために必要に応じて作業領域としても使用するＲＡＭやフラッシュＲＯＭである。
【００２２】
１０４は映像処理、記録再生制御を含むビデオ制御部であり、ここでは映像情報入力部１０１からの映像をテープ記録／再生に挿入された記録テープ（不図示）に記録したり、逆に、記録されたテープを再生して、映像出力部１０７を通じて、外部の表示部１１２に表示したりする。
【００２３】
１０５はテープ記録／再生部で、挿入されているテープに映像を記録／再生する。１０６は入力操作部で、特に図示はしないが、選択ボタンや決定ボタン、チャンネルボタン、各種モードボタンなどを備えており、例えば、映像出力部１０７に接続される外部の表示部１１２の画面上に表示される映像情報から、視聴する番組を選択したり、各種設定を行うために使用する。
【００２４】
１０７は映像出力部で、映像入力部１０１から入ってきた映像、またはテープ記録／再生部でテープ再生された映像を出力し、外部の表示部１１２へ送り表示させる。１０８はＯＳＤ（Ｏｎ　Ｓｃｒｅｅｎ　Ｄｉｓｐｌａｙ）キャラクタジェネレータ部で、漢字、平仮名、英字、数字記号などのキャラクタ・フォントＲＯＭを含むものとする。制御部１０２からのシリアルデータ通信によりキャラクタコードや表示位置、表示色などの制御を受けて、ビデオ制御部１０４にＯＳＤの表示信号を、ビデオ制御部１０４からの各種同期信号に基づいて出力する。
【００２５】
１０９は計時部であり、リアルタイムクロック（ＲＴＣ）とバックアップ電池を備え、日時をカウントしており、制御部１０２からの要求に応じて、日時を返信する。１１０は外部記録媒体接続インタフェースで、ここでは、メモリカードのスロットとする。１１１は外部記憶媒体で、ここではメモリカードとする。１１２は外部の表示部で、本装置の外に接続したＣＲＴ（ＴＶ）またはＬＣＤなどで構成されている。
【００２６】
＜第一実施形態の制御＞
図２は、第一実施形態のＶＴＲの制御手順を示すフローチャートである。
【００２７】
ここでは例えば、本実施形態の情報再生装置において、予め録画されたテープを再生した時にユーザがＣＭ部をサーチ再生により早送りしても、このサーチ再生により飛ばし見されてしまう通常再生のＣＭに代わる内容をユーザに対して表示するための制御手法を実現する。
【００２８】
まずステップＳ２０１では、ユーザから入力操作部１０６の操作を受け、予め記録された録画テープの再生をスタートさせる。次のステップＳ２０２では、通常再生中で、テープ記録／再生部１０５に挿入されている記録テープ（不図示）に記録されている映像情報を、ビデオ制御部１０４により制御部１０２の制御を受けながら再生する。再生映像は、映像出力部１０７を通じて、外部の表示部１１２に表示する。
【００２９】
ステップＳ２０３の説明に移る前に、以下で採用したＶＢＩＤについて、旧ＥＩＡＪのＣＰＲ−１２０４「ＶＢＩを用いたビデオＩＤ信号伝達方法（５２５ラインシステム）」（以下ＶＢＩＤ）を使った場合を例に説明する。
【００３０】
ＶＢＩＤは、垂直ブランキング期間（ＶＢＩ：Ｖｉｄｅｏ　ＢｌａｎｋｉｎｇＩｎｔｅｒｖａｌ）の輝度信号の第２０ライン及び第２８３ラインの有効映像部分に、７０ＩＲＥまたは０ＩＲＥで表される２０ｂｉｔのデジタル信号を配し、この２０ｂｉｔのデジタル信号を識別信号としてコード化して伝送する。また、第２０ラインと第２８３ラインには原則として同じ情報が伝送される。
【００３１】
信号波形は、図３に示すように、ＴＶ信号の走査線の１ライン（１Ｈ）の上に輝度信号に重畳してＲｅｆｅｒｅｎｃｅビット（Ｒｅｆビット）の後に続けて２０ｂｉｔのＩＤ情報を伝送し、その並びはｂｉｔ１からｂｉｔ２０である。この２０ｂｉｔのｂｉｔの分類は図４のように定義されている。ここで図４中の、１−Ａは、アスペクト比に関する情報であり、１−Ｂは、ＷＯＲＤ２（１−Ｃ）で伝送する１６種類の情報を示すヘッダーであり、１−Ｃは、ＷＯＲＤ１（１−Ｂ）で指定された項目の情報であり、１−Ｄは、ＣＲＣコード（エラーチェックコード）である。これらのデータを決められた数連続したフレーム、または単位時間に当たりで規定された回数を使って、情報を伝送するものである。この中で、本実施形態で用いるのは、図４のｂｉｔ３〜ｂｉｔ６のＷＯＲＤ１において文字情報であることを指定し、ｂｉｔ７（ＬＳＢ）〜ｂｉｔ１４（ＭＳＢ）のＷＯＲＤ２において文字情報を扱う場合である。
【００３２】
文字情報には、文字そのものを示す２バイトの符号（文字符号）と、その表示の仕方としてカテゴリー、表示位置、色、改行などを制御するための２バイトの符号（カテゴリー符号、制御符号）がある。ＶＢＩＤの伝送手順は図５に示すように、カテゴリー符号、制御符号、文字符号の順番に伝送する。これらの符号の組み合わせにより、任意の文字列を任意の場所に、任意の文字色、その他方法で表示する。
【００３３】
すなわち、最初にカテゴリー符号（１バイト）が伝送され、この符号を認識して初めて文字情報が受信され、次のカテゴリー符号が来るまでそのカテゴリー内容が有効となる。カテゴリー符号には１ビットのチャンネルビットが含まれていて、全く異なる内容の文字情報を二つ混在して伝送されて来ることがある。
【００３４】
カテゴリー符号に続けて制御符号（２バイト）が、上位データ、下位データと２フレームで伝送されてくる。制御符号は、続けて幾つかの制御情報が送られてくることもあり、これによりその後送られてくる、文字符号の内容の表示制御（表示位置や表示属性など）を行う。制御符号に続けて文字符号（２バイト列）が、上位データ、下位データと２フレームで伝送されてくる。これらの文字列を、カテゴリー符号と制御符号の内容に従って表示制御する。
【００３５】
なお、背景色は、ＣＰＲ−１２０４の中で規定されているのは半輝度白（ハーフトーン）であるが、本実施形態においては、これらの規定に制限されることなく、任意の背景色で表示可能とする。
【００３６】
ステップＳ２０３では、ＮＴＳＣ方式のＴＶ信号において、輝度信号の垂直ブランキング期間の第２０ライン及び第２８３ラインの有効映像部分に乗っている上記で説明したＶＢＩＤを検出して、内容に応じて汎用記憶部１０３のメモリに記録する。この時、この検出内容を映像出力部１０７には出力しない。仮にここでは「ＡＢＣ提供　新発売　デジタルビデオ」となるテキストコードを検出し汎用記憶部１０３に保存しているものとする。
【００３７】
ステップＳ２０４では、ユーザにより入力操作部１０５の早送り再生のボタンが押されたことを検出し、映像の早送り再生動作開始と共に、ステップＳ２０５に進む。また、ユーザにより入力操作が行われるまでは、ステップＳ２０２に戻り、通常再生とＶＢＩＤの記録を継続する。
【００３８】
なお、ここでは説明の簡略化のために、入力操作として早送り再生のみを採り上げているが、入力操作としては、終了も含めて早送り再生以外の機能を持つのが通常である。
【００３９】
ステップＳ２０５では、早送り再生映像の上にＯＳＤ表示を行う。手順はステップＳ２０３で保存されているＶＢＩＤによるテキスト情報を、表示制御情報に従ってＯＳＤキャラクタジェネレータ部１０８に送る。ＯＳＤキャラクタジェネレータ部１０８からキャラクタを表示するための信号を受けたビデオ制御部１０６では早送り再生映像に対しキャラクタを合成し、映像出力部１０７を通じて外部の表示部１１２に表示させる。
【００４０】
この時、表示部１１２に表示される様子を図６（ａ），（ｂ）に示す。ステップＳ２０４で早送り再生ボタンが押されるまでは、表示部１１２において図６（ａ）に示す様に動画などの通常のテープ再生画（図中の“Ａ”の部分）が表示されているものとする。これに対して、ステップＳ２０４で早送り再生が開始されステップＳ２０５でそれまで蓄積したＶＢＩＤ情報に基づいたキャラクタをＯＳＤ表示した様子を示しているのが図６（ｂ）である。ここでは、矩形領域５０１に「ＡＢＣ提供　新発売　デジタルビデオカメラ」と表示している。
【００４１】
ステップＳ２０６で、ユーザにより早送り再生が解除されるとステップＳ２０７に進み、解除されるまではステップＳ２０５に戻るものとする。ステップＳ２０７では、ステップＳ２０６でユーザにより早送り再生が解除されたのを受けて、通常再生に戻る。ステップＳ２０８で終了し、必要に応じてステップＳ２０１で再びスタートする。
【００４２】
以上により、従来では、ＣＭを早送りなどをして飛ばして見られてしまうと、番組提供側が意図した内容が十分に視聴者に伝わらないことがあったが、本実施形態では、早送りや巻き戻しなどによるサーチ再生時でも、映像情報に付加されているＩＤ情報から、サーチ再生映像の代わりまたはサーチ再生映像に重ねてテキストを表示することなどにより、視聴者の視聴状態に合わせたＣＭ映像情報の提供を可能にする。加えて、ここではサーチ再生映像の代わりまたはサーチ再生映像に重ねてテキストを表示するに当たり、本装置内で合成処理して出力しているので、外部表示部１１２がＶＢＩＤ対応機種でなくても、表示可能である。
【００４３】
［第二実施形態］
第二実施形態で上記第一実施形態と異なるのは、入力操作部１０５において、ユーザにより早送りまたは巻き戻しサーチ再生の何れかのボタンが押されたことを検出して、映像のサーチ再生動作を開始した際に、サーチ再生映像に情報を付加する方法・手段についてである。
【００４４】
第一実施形態では、ＯＳＤキャラクタジェネレータ機能により、キャラクタ情報を、サーチ再生映像の代わりもしくはサーチ再生映像にオーバーラップさせるなどして表示し、外部表示部１１２がＶＢＩＤに対応していなくとも表示可能であった。これに対して第二実施形態では、サーチ再生時には、サーチ再生映像に既に取得しているＶＢＩＤコードに基づいたＶＢＩＤを映像に付加して出力することを特徴としている。これにより、映像に付加されるキャラクタ情報は、外部表示部１１２に常時表示されるのではなく、ＶＢＩＤ表示機能に対応した外部表示部１１２でのみ表示され、一般的にはＶＢＩＤ表示に対応した外部表示部１１２が持っている機能でＶＢＩＤ表示をＯＮ／ＯＦＦにすることも可能となる。
【００４５】
第二実施形態においては、第１の実施形態と同様に、図１のブロック図に示すような映像記録媒体に磁気テープを用いた据え置き型のＶＴＲにおいて、図７のフローチャートに示す制御手順に従い、本実施形態の情報再生装置で、予め録画されたテープを再生した時に、ユーザにより例えばＣＭ部分がサーチ再生により早送りされたとしても通常再生時のＣＭに代わる内容をユーザに対して示す制御手法を実現する。
【００４６】
＜第二実施形態の制御＞
図７は、第二実施形態のＶＴＲの制御手順を示すフローチャートである。
【００４７】
まずステップＳ６０１とステップＳ６０２において、上記第一実施形態におけるステップＳ２０１とステップＳ２０２と同様の処理をそれぞれ行い、さらにステップＳ６０３でも、第一実施形態と同様にＮＴＳＣ方式のＴＶ信号においてＶＢＩＤを検出して、内容に応じて汎用記憶部１０３のメモリに記録する。仮にここでは「ＡＢＣ提供　新発売　デジタルビデオ」となるテキストコードを検出し、汎用記憶部１０３に保存しているものとする。また、同時に、ＶＢＩＤコードも記録しておき、後のステップＳ６０５で条件分岐してステップＳ６０７でＶＢＩＤを付加して映像出力する場合に利用する。
【００４８】
続くステップＳ６０４では、入力操作部１０５においてユーザにより早送り再生等のボタンが押されたことを検出し、映像の早送り再生動作開始と共に、ステップＳ６０５に進む。ステップＳ６０５では、予め本機に設定した動作モードに従って条件分岐する。一つの表示方法は、ステップＳ６０６に進み、ＯＤＳキャラクタジェネレータ部１０８から出力されるキャラクタをサーチ再生映像と任意の方法で合成または置き換える表示方法であり、もう一つの表示方法は、ステップＳ６０７に進み、ＶＢＩＤとして映像に付加して出力し、外部の表示部１１２がＶＢＩＤの表示機能を備えていた場合にのみ表示させる方法である。ここで、どちらの方法を選択するかを、予めモード設定してあるが、特に、その設定方法には、本実施形態の動作自体は左右されないので省略する。
【００４９】
ステップＳ６０６では、ステップＳ６０３で保存されているテキスト情報を、表示制御情報に従ってＯＳＤキャラクタジェネレータ部のキャラクタＲＯＭ（漢字、平仮名、英字、数字記号など全て全角のキャラクタ）に送り、対応したキャラクタをサーチ再生映像の上に表示するためにビデオ制御部１０４で合成し、映像出力部１０７を通じて外部の表示部１１２に表示する。この様子は、前述した図６（ａ），（ｂ）に示す通りである。
【００５０】
ステップＳ６０７では、ＯＳＤによる合成表示出力ではなく、「ＡＢＣ提供　新発売　デジタルビデオ」のテキストコードをＶＢＩＤとして映像に付加して出力し、外部の表示部１１２がＶＢＩＤの表示機能を備えていた場合にのみ表示させる。この方法によると、対応していない表示機器では、サーチ再生映像だけが表示されることになる。
【００５１】
その後は、ステップＳ６０８でユーザによりサーチ再生が解除されるとステップＳ６０９に進み、解除されるまではステップＳ６０５に戻るものとする。ステップＳ６０９では、ステップＳ６０８でユーザによりサーチ再生が解除されたのを受けて通常再生に戻る。そして、ステップＳ６１０で終了し、必要に応じてステップＳ６０１で再びスタートする。
【００５２】
第二実施形態では、再生映像に付加するキャラクタ情報を、ＶＢＩＤ表示機能に対応した外部表示部で選択的に表示するようにしたので、より視聴者の視聴形態に合わせたＣＭ映像情報の提供を可能にする。
【００５３】
［第三実施形態］
上記第二実施形態では、ＯＳＤキャラクタジェネレータ機能により、サーチ再生映像の代わりもしくはサーチ再生映像にオーバーラップさせるなどの表示を行い、あるいはＶＢＩＤを付加して外部表示部１１２に映像出力を行うものであった。これに対して、第三実施形態では、ＶＢＩＤに含まれるリンク先の情報を、サーチ再生映像の代わりもしくはサーチ再生映像にオーバーラップして出力することを特徴としている。これにより、サーチ再生時に、ＶＢＩＤに含まれるテキストなどの情報だけでなく、リンク先の情報も表示可能となる。
【００５４】
第三実施形態においては、図１のブロック図に示すような映像記録媒体に磁気テープを用いた据え置き型のＶＴＲにおいて、図８のフローチャートに示す制御手順に従い、本発明の情報再生装置で、予め録画されたテープを再生した時に、ユーザにより例えばＣＭ部がサーチ再生により早送りされたとしても通常再生時のＣＭに代わる内容をユーザに対して示す制御手法を実現する。
【００５５】
＜第三実施形態の制御＞
図８は、第三実施形態のＶＴＲの制御手順を示すフローチャートである。
【００５６】
まずステップＳ７０１とステップＳ７０２において、上記第一実施形態におけるステップＳ２０１とステップＳ２０２と同様の処理をそれぞれ行い、さらにステップＳ７０３では、第一実施形態と同様にＮＴＳＣ方式のＴＶ信号においてＶＢＩＤを検出して、内容に応じて汎用記憶部１０３のメモリに記録する。仮にここでは「ｈｔｔｐ：／／ｗｗｗ．ａｂｃ．ｃｏ．ｊｐ／ｉｎｆｏ＿ａ．ｔｘｔ」となるテキストコードを検出し、汎用記憶部１０３に一時保存するものとする。また同時に、ＶＢＩＤコードも記録しておき、後のステップＳ７０６で条件分岐してステップＳ７０７でＶＢＩＤを付加して映像出力する場合に利用する。
【００５７】
ステップＳ７０４では、ステップＳ７０３で一時保存したリンク先情報、ここでは「ｈｔｔｐ：／／ｗｗｗ．ａｂｃ．ｃｏ．ｊｐ」を元にリンク先から情報を取得する。情報の取得経路は、映像入力部１０１に設けられた双方向通信部や別途、図示の通信モデムを経由してインターネットに接続し、前記リンク先から取得するものとする。仮にここでは「ＡＢＣ提供　新発売　デジタルビデオ」となるテキストコードをリンク先から取得し汎用記憶部１０３に保存したものとする。
【００５８】
ステップＳ７０５では、入力操作部１０５においてユーザにより早送り再生等のボタンが押されたことを検出し、映像の早送り再生動作開始と共に、ステップＳ７０６に進む。また、ユーザにより入力操作が行われるまでは、ステップＳ７０２に戻り、通常再生とＶＢＩＤに関する情報の記録を継続する。
【００５９】
ステップＳ７０６では、予め本機に設定した動作モードに従って、条件分岐する。一つの表示方法は、ステップＳ７０７に進み、ＯＤＳキャラクタジェネレータ部１０８から出力されるキャラクタをサーチ再生映像と任意の方法で合成または置き換える表示方法であり、もう一つの表示方法は、ステップＳ７０８に進み、ＶＢＩＤとして映像に付加して出力し、外部の表示部１１２がＶＢＩＤの表示機能を備えていた場合にのみ表示させる方法である。
【００６０】
ステップＳ７０７では、ステップＳ７０４で取得したリンク先の情報を、ＯＳＤキャラクタジェネレータ部１０８のキャラクタＲＯＭ（漢字、平仮名、英字、数字記号など全て全角のキャラクタ）に送り、対応したキャラクタをサーチ再生映像上に表示するためにビデオ制御部１０４で合成し、映像出力部１０７を通じて、外部の表示部１１２に表示する。
【００６１】
この様子を図６（ａ），（ｂ）に示す。ステップＳ７０５でサーチ再生ボタンが押されるまでは、表示部１１２において図６（ａ）に示すように通常のテープ再生画（図中の“Ａ”の部分）が表示されているものとする。これに対して、ステップＳ７０５でサーチ再生が開始され、ステップＳ７０６ではステップＳ７０４で取得したリンク先の情報に基づき取得したキャラクタをＯＳＤ表示した場合であり、この様子を示しているのが図６（ｂ）である。ここでは、矩形領域５０１に「ＡＢＣ提供　新発売　デジタルビデオカメラ」と表示している。
【００６２】
ステップＳ７０８では、ＯＳＤによる合成表示出力ではなく、「ＡＢＣ提供　新発売　デジタルビデオ」のテキストコードをＶＢＩＤとして映像に付加して出力し、外部の表示部１１２がＶＢＩＤの表示機能を備えていた場合にのみ表示させる。この方法によると、対応していない表示機器では、サーチ再生映像だけが表示されることになる。
【００６３】
その後のステップＳ７０９で、ユーザによりサーチ再生が解除されるとステップＳ７１０に進み、解除されるまではステップＳ７０６に戻るものとする。ステップＳ７１０では、ステップＳ７０９でユーザによりサーチ再生が解除されたのを受けて、通常再生に戻る。ステップＳ７１１で処理を終了し、必要に応じてステップＳ７０１で再びスタートする。
【００６４】
第三実施形態では、リンク先からの情報を予め取得して、サーチ再生映像の代わりまたはサーチ再生映像に重ねてテキストを表示することを可能にしている。これにより、さらに視聴者の視聴形態に合わせたＣＭ映像情報の提供を可能とする。
【００６５】
［第四実施形態］
上記第一、第二及び第三実施形態では、ＯＳＤキャラクタジェネレータ機能により、サーチ再生映像の代わりもしくはサーチ再生映像にオーバーラップさせるなどの表示を行う、またはＶＢＩＤを付加して外部表示部１１２に映像出力を行うものである。
【００６６】
これに対して、本実施形態では、サーチ映像の一部を、サーチ再生映像の代わりもしくはサーチ再生映像にオーバーラップして出力することを特徴としている。これにより、サーチ再生時に、テキスト情報だけでなく、映像情報も表示可能となる。
【００６７】
本実施形態では、図１のブロック図に示すような映像記録媒体に磁気テープを用いた据え置き型のＶＴＲにおいて、図９のフローチャートに示す制御手順に従い、本実施形態の情報再生装置で、予め録画されたテープを再生した時に、ユーザにより例えばＣＭ部がサーチ再生により早送り等がなされたとしても通常再生時のＣＭに代わる内容をユーザに対して示す制御手法を実現する。
【００６８】
図９は、第四実施形態のＶＴＲの制御手順を示すフローチャートである。
【００６９】
まずステップＳ８０１とステップＳ８０２において、上記第一実施形態におけるステップＳ２０１とステップＳ２０２と同様の処理をそれぞれ行い、さらにステップＳ８０３では、再生映像の少なくとも一部を汎用記憶部１０３のメモリに保存する。この時、保存した映像内容を映像出力部１０７には出力せずに通常再生のままの状態とする。
【００７０】
ここで、”再生映像の少なくとも一部”とは、どこかの映像フィールドの静止画でも、任意の区間の動画でも構わない。さらに、映像領域も矩形領域には限らないが、再生映像の任意の部分で構わない。また、再生映像が、ＭＰＥＧなどの時には、一つのフレームとして表示可能なＩピクチャを保存しても良い。この場合、本実施形態では、サーチ再生開始前に、映像の少なくとも一部を保存しておくことになっているが、サーチ再生開始後に、再生映像の一部を取り出して、表示するようにしても良い。
【００７１】
ステップＳ８０４では、入力操作部１０５においてユーザにより早送り再生等のボタンが押されたことを検出し、映像の早送り再生動作開始と共に、ステップＳ８０５に進む。また、ユーザにより入力操作が行われるまでは、ステップＳ８０２に戻り、通常再生と映像の少なくとも一部の記録を継続する。
【００７２】
ステップＳ８０５では、サーチ再生映像の上にステップＳ８０３で保存した映像をビデオ制御部１０４で合成し、映像出力部１０７を通じて外部の表示部１１２に表示する。この様子を図１０（ａ），（ｂ）に示す。ステップＳ８０４でサーチ再生ボタンが押されるまでは、表示部１１２において図１０（ａ）に示すように通常のテープ再生画“Ａ”が表示されているものとする。これに対して、ステップＳ８０４でサーチ再生が開始され、ステップＳ８０５では、ステップＳ８０３で保存した映像をサーチ再生映像にオーバーラップして表示した場合であり、この様子を示しているのが図１０（ｂ）である。ここでは、矩形領域５０２に“Ｂ”という映像を表示している。
【００７３】
その後のステップＳ８０６で、ユーザによりサーチ再生が解除されるとステップＳ８０７に進み、解除されるまではステップＳ８０５に戻るものとする。ステップＳ８０７では、ステップＳ８０６でユーザによりサーチ再生が解除されたのを受けて、通常再生に戻る。ステップＳ８０８で処理を終了し、必要に応じてステップＳ８０１で再びスタートする。
【００７４】
第四実施形態では、再生映像の少なくとも一部の映像を予め保存しておき、その保存した一部の映像をサーチ再生映像の代わりまたはサーチ再生映像に重ねて表示することを可能にしている。これにより、さらに視聴者の視聴形態に合わせたＣＭ映像情報の提供を可能にする。
【００７５】
［第五実施形態］
第五実施形態では、サーチ再生時に、サーチ再生映像の代わりもしくはサーチ再生映像にオーバーラップして出力するなどの制御時間を、別途設定した時間に亘って継続可能にしたものである。
【００７６】
第五実施形態では、図１のブロック図に示すような映像記録媒体に磁気テープを用いた据え置き型のＶＴＲにおいて、図１１のフローチャートに示す制御手順に従い、本実施形態の情報再生装置で、予め録画されたテープを再生した時に、ユーザにより例えばＣＭ部がサーチ再生により早送りされたとしても通常再生時のＣＭに代わる内容をユーザに対して示す制御手法を実現する。
【００７７】
図１１は、第五実施形態のＶＴＲの制御手順を示すフローチャートである。
【００７８】
まずステップＳ９０１とステップＳ９０２において、上記第一実施形態におけるステップＳ２０１とステップＳ２０２と同様の処理をそれぞれ行い、さらにステップＳ９０３では、第一実施形態と同様にＮＴＳＣ方式のＴＶ信号においてＶＢＩＤを検出して、内容に応じて汎用記憶部１０３のメモリに記録する。
【００７９】
ステップＳ９０４では、入力操作部１０５においてユーザにより早送り再生等のボタンが押されたことを検出し、映像の早送り再生動作開始と共にステップＳ９０５に進む。また、ユーザにより入力操作が行われるまではステップＳ９０２に戻り、通常再生とＶＢＩＤの記録を継続する。
【００８０】
ステップＳ９０５では、サーチ再生映像の上に、ステップＳ９０３で保存した映像をビデオ制御部１０４で合成し、映像出力部１０７を通じて外部の表示部１１２に表示する。この時、表示部１１２に表示される様子は、前述した図６（ａ），（ｂ）に示す通りである。
【００８１】
ステップＳ９０６で、ユーザによりサーチ再生が解除されるとステップＳ９０７に進み、解除されるまではステップＳ９０５に戻るものとする。その後のステップＳ９０７では、別途設定した設定時間が経過したかどうかを判定する。設定時間が経過していない場合は、ステップＳ９０５に戻り、ＯＳＤ表示を継続する。別途設定する時間設定方法は、予め本ＶＴＲに設定されていても構わないし、ＶＢＩＤ情報に前記設定時間も含めておいて、サーチ再生動作終了後も継続して表示する時間を制御しても構わない。そして、ステップＳ９０８では、ステップＳ９０７で設定時間が経過した後に通常再生に戻り、ステップＳ９０９で処理を終了し、必要に応じてステップＳ９０１で再びスタートする。
【００８２】
第五実施形態では、サーチ再生時に、サーチ再生映像の代わりもしくはサーチ再生映像にオーバーラップして出力するなどの制御時間を、別途設定した時間、継続することが可能となり、短時間のサーチ再生や、ランダムアクセス可能な記録媒体使用時の瞬時の頭出しなどにおいても、視聴者が認識可能な時間など任意な時間設定を行うことで、サーチ再生映像の代わりもしくはサーチ再生映像にオーバーラップして設定時間だけ継続して出力することが実現される。これにより、さらに視聴者の視聴形態に合わせたＣＭ映像情報の提供を可能とする。
【００８３】
なお、上述した図２、図７、図８、図９、または図１１の各フローチャートに従ったプログラムを制御部１０２内の記憶装置に格納し実行することにより、それぞれ上述の第一〜第五実施形態における制御方法を実現させることが可能となる。
【００８４】
上記各実施形態では、映像情報として任意の番組ＣＭを想定しているが、本発明が網羅する範囲は、番組やＣＭというジャンルに限定されるものではない。それは、映像情報の再生開始時において、それぞれの映像情報に関係した付加情報等を有する映像情報であれば、容易に応用可能だからである。
【００８５】
さらに、上記各実施形態では、映像のみを取り上げたが、再生中の映像だけでなく、音でも同様のことが可能である。すなわち、取得した情報に音情報が含まれる場合には、例えばサーチ再生動作をトリガーとして、該取得した音情報を再生するようにする。
【００８６】
また、上記各実施形態によれば、従来、早送りなどをして飛ばして見られてしまうと、映像提供側が意図した内容が十分に視聴者に伝わらないことがあったＣＭも、早送りや巻き戻しなどによるサーチ再生時おいて、映像情報に含まれているＩＤ情報等から得られる情報（テキストや画像、リンク先の情報など）や、再生映像／サーチ再生映像の少なくとも一部などを、サーチ再生映像の代わりまたはサーチ再生映像に重ねて表示することが可能となる。
【００８７】
その結果、映像再生時に安易に飛ばし見される可能性の高いＣＭ等のシーンの早送り（または巻き戻し）再生（サーチ再生）時に、従来のサーチ再生映像表示ではなく、サーチ再生映像の代わりもしくはサーチ再生映像に加えて、テキストや画像、リンク先の情報等を表示する機能を提供し、通常のＣＭ部再生時とは異なった、サーチ再生に対応した宣伝を実現することができる。
【００８８】
さらに、短時間のサーチ再生動作や、ランダムアクセスによる瞬時のシーンチェンジの際にも、サーチ再生映像の代わりもしくはサーチ再生映像に加えて、テキストや画像、リンク先の情報等の表示を任意の設定時間だけ継続する機能を加えることで、視聴者が現実的に認識できる表示時間を実現している。以上、新たなＣＭ提供の形態として、サーチ再生における視聴者の状況により合わせた柔軟な番組、ＣＭの提供が実現可能となる。
【００８９】
本発明は、上述した実施形態の装置に限定されず、複数の機器から構成されるシステムに適用しても、一つの機器から成る装置に適用してもよい。前述した実施形態の機能を実現するソフトウェアのプログラムコードを記憶した記憶媒体をシステムあるいは装置に供給し、そのシステムあるいは装置のコンピュータ（またはＣＰＵやＭＰＵ）が記憶媒体に格納されたプログラムコードを読み出し実行することによっても、完成されることは言うまでもない。
【００９０】
この場合、記憶媒体から読み出されたプログラムコード自体が前述した実施形態の機能を実現することになり、そのプログラムコードを記憶した記憶媒体は本発明を構成することになる。プログラムコードを供給するための記憶媒体としては、例えば、フロッピー（登録商標）ディスク、ハードディスク、光ディスク、光磁気ディスク、ＣＤ−ＲＯＭ、ＣＤ−Ｒ、磁気テープ、不揮発性のメモリカード、ＲＯＭを用いることができる。また、コンピュータが読み出したプログラムコードを実行することにより、前述した実施形態の機能が実現されるだけではなく、そのプログラムコードの指示に基づき、コンピュータ上で稼動しているＯＳなどが実際の処理の一部または全部を行い、その処理によって前述した実施形態の機能が実現される場合も含まれることは言うまでもない。
【００９１】
さらに、記憶媒体から読み出されたプログラムコードが、コンピュータに挿入された機能拡張ボードやコンピュータに接続された機能拡張ユニットに備わるメモリに書き込まれた後、次のプログラムコードの指示に基づき、その拡張機能を拡張ボードや拡張ユニットに備わるＣＰＵなどが処理を行って実際の処理の一部または全部を行い、その処理によって前述した実施形態の機能が実現される場合も含まれることは言うまでもない。
【００９２】
【発明の効果】
以上詳細に説明したように本発明によれば、例えば映像再生時に容易に飛ばし見される可能性の高いＣＭ映像等のサーチ再生動作中でも、通常の映像（ＣＭ等）再生時とは異なった、サーチ再生動作にも対応した映像等の再生が可能になる。これにより、サーチ再生における視聴者の視聴状況に合わせた新たな映像等の情報提供（番組やＣＭ等）が可能になる。
【図面の簡単な説明】
【図１】本発明の第一実施形態に係る情報再生装置の概略構成を示すブロック図である。
【図２】第一実施形態のＶＴＲの制御手順を示すフローチャートである。
【図３】ＶＢＩＤの信号波形のイメージ図である。
【図４】ＩＤ情報の内容例を示す図である。
【図５】ＶＢＩＤの伝送手順のイメージ図である。
【図６】ビデオ制御部１０６で早送り再生映像に対しキャラクタを合成したイメージ図である。
【図７】第二実施形態のＶＴＲの制御手順を示すフローチャートである。
【図８】第三実施形態のＶＴＲの制御手順を示すフローチャートである。
【図９】第四実施形態のＶＴＲの制御手順を示すフローチャートである。
【図１０】ビデオ制御部１０６で早送り再生映像に対し映像（静止画／動画）を合成したイメージ図である。
【図１１】第五実施形態のＶＴＲの制御手順を示すフローチャートである。
【符号の説明】
１０１　映像情報入力部
１０２　制御部
１０３　汎用記憶部
１０４　ビデオ制御部
１０５　テープ記録／再生部
１０６　入力操作部
１０７　映像出力部
１０８　ＯＳＤキャラクタジェネレータ部
１０９　計時部
１１０　外部記録媒体接続インタフェース
１１１　外部記憶媒体
１１２　外部の表示部
【図１】
2004112184.tif 000003
【図２】
2004112184.tif 000004
【図３】
2004112184.tif 000005
【図４】
2004112184.tif 000006
【図５】
2004112184.tif 000007
【図６】
2004112184.tif 000008
【図７】
2004112184.tif 000009
【図８】
2004112184.tif 000010
【図９】
2004112184.tif 000011
【図１０】
2004112184.tif 000012
【図１１】
2004112184.tif 000013